(57)【要約】【課題】冷蔵庫に収納する収納物の鮮度の保持を可能とするとともに、使用者にとって使い勝手のよい冷蔵庫を提供すること。【解決手段】冷蔵室１１０を内方に形成する主箱体１０１と、冷蔵室１１０に引き出し可能に配置された第一収納容器１４０であって、光透過性を備える容器側壁１４３を有する収納容器第一収納容器１４０と、冷蔵室１１０の内側面１１６に配置され、半導体発光素子により光を発する発光ユニット２００であって、容器側壁１４３を介して第一収納容器１４０の内方に光を照射する発光ユニット２００とを備える。【選択図】図２
2011202941.tif 000002
【特許請求の範囲】
【請求項１】
冷蔵室を内方に形成する主箱体と、
前記冷蔵室に引き出し可能に配置された収納容器であって、光透過性を備える容器側壁を有する収納容器と、
前記冷蔵室の内側面に配置され、半導体発光素子により光を発する発光ユニットであって、前記容器側壁を介して前記収納容器の内方に光を照射する発光ユニットと
を備える冷蔵庫。
【請求項２】
さらに、前記冷蔵室の底面に配置され、前記底面上における前記収納容器の配置位置を決定する位置決定部を備える
請求項１記載の冷蔵庫。
【請求項３】
前記発光ユニットはさらに、前記半導体発光素子の前方に配置され、光透過性を備えるカバー部材を有し、
前記カバー部材は、前記半導体発光素子から発せられ、前記カバー部材を透過する光を拡散する拡散面を有する
請求項１または２に記載の冷蔵庫。
【請求項４】
前記発光ユニットは、互いに異なるスペクトルの光を発する複数の前記半導体発光素子を有する
請求項１〜３のいずれか１項に記載の冷蔵庫。
【請求項５】
複数の前記半導体発光素子は、青色に発光する半導体発光素子と、緑色に発光する半導体発光素子とを含む
請求項４記載の冷蔵庫。
【請求項６】
前記半導体発光素子は、前記半導体発光素子が発する光の光軸が、前記発光ユニットが配置される前記内側面に垂直な軸から前記冷蔵室の奥方向に傾斜するように配置されている
請求項１〜３のいずれか１項に記載の冷蔵庫。
【発明の詳細な説明】
【技術分野】
【０００１】
本発明は、冷蔵庫に関し、特に、庫内に光を照射する半導体発光素子を備える冷蔵庫に関する。
【背景技術】
【０００２】
従来、庫内に光を照射する半導体発光素子を備えている冷蔵庫が知られている。例えば、特許文献１には、冷蔵庫の野菜室の奥の内壁に、ＬＥＤ（Ｌｉｇｈｔ  Ｅｍｉｔｔｉｎｇ  Ｄｉｏｄｅ）を有する発光装置を備えている冷蔵庫が開示されている。
【０００３】
この発光装置により、野菜室に収納された野菜に後方から所定の波長の光が照射され、これにより、野菜室の内部を照らすとともに、例えば、収納された野菜の鮮度を保持することができる。
【先行技術文献】
【特許文献】
【０００４】
【特許文献１】特開２００６−３２９６１４号公報
【発明の概要】
【発明が解決しようとする課題】
【０００５】
しかしながら、上記従来の冷蔵庫においては、貯蔵室の奥から前方に向けて発光装置から光が発される。そのため、例えば、冷蔵庫の使用者が貯蔵室の扉を開けた場合に、発光装置からの光が目に入り、これにより、使用者に不快なまぶしさを感じさせる可能性がある。
【０００６】
なお、このような発光装置が配置される貯蔵室を、例えば、冷蔵庫の最下段に配置することで、使用者の目に発光装置からの光が直接入射する可能性は低減される。しかし、この場合、発光装置による保鮮効果が得られる貯蔵室の冷蔵庫における配置位置が限定される。
【０００７】
また、貯蔵室内の複数の野菜になるべく満遍なく光を照射することが要求されること、及び、貯蔵室には収納容器の出し入れのためのレール等の構造物が設けられることがあることなどから、発光装置の取り付けの態様には工夫が必要である。
【０００８】
さらに、収納物である野菜等から水蒸気が発生するため、電子部品で構成される発光装置の保護及び安全性の観点からも、発光装置の取り付けの態様には工夫が必要である。
【０００９】
本発明は、上記従来の課題を考慮し、冷蔵庫に収納する収納物の鮮度の保持を可能とするとともに、使用者にとって使い勝手のよい冷蔵庫を提供することを目的とする。
【課題を解決するための手段】
【００１０】
上記問題を解決するために、本発明の一態様に係る冷蔵庫は、冷蔵室を内方に形成する主箱体と、前記冷蔵室に引き出し可能に配置された収納容器であって、光透過性を備える容器側壁を有する収納容器と、前記冷蔵室の内側面に配置され、半導体発光素子により光を発する発光ユニットであって、前記容器側壁を介して前記収納容器の内方に光を照射する発光ユニットとを備える。
【００１１】
このように、冷蔵室の内側面に発光ユニットを配置することで、収納容器に収められた野菜等の複数の収納物に対し、側方から、半導体発光素子による光を照射することができる。これにより、複数の収納物に対する効率のよい光の照射が可能となるとともに、使用者の目に、発光ユニットからの光が直接入射することが防止される。
【００１２】
また、発光ユニットは、野菜等の収納物から立ち昇る水蒸気からも適切に保護され、かつ、引き出し可能な収納容器の出し入れの邪魔になることもない。
【００１３】
また、本発明の一態様に係る冷蔵庫は、さらに、前記冷蔵室の底面に配置され、前記底面上における前記収納容器の配置位置を決定する位置決定部を備えるとしてもよい。
【００１４】
これにより、例えば、収納容器が冷蔵室内に収容された場合に、発光ユニットと収納容器との位置関係を、収納容器内の収納物に対して最も効果的に光が照射される位置関係に規制することができる。
【００１５】
また、本発明の一態様に係る冷蔵庫において、前記発光ユニットはさらに、前記半導体発光素子の前方に配置され、光透過性を備えるカバー部材を有し、前記カバー部材は、前記半導体発光素子から発せられ、前記カバー部材を透過する光を拡散する拡散面を有するとしてもよい。
【００１６】
これにより、ＬＥＤなどの指向性の高い半導体発光素子を発光ユニットに用いた場合に、複数の収納物により満遍なく光を照射することが可能になる。
【００１７】
また、本発明の一態様に係る冷蔵庫において、前記発光ユニットは、互いに異なるスペクトルの光を発する複数の前記半導体発光素子を有するとしてもよい。
【００１８】
このように、発光ユニットから、互いに異なるスペクトルの光を発することにより、例えば、複数の種類の野菜が収納容器に収納されている場合に、それぞれの種類に応じた、保鮮効果の高い光をこれら野菜に照射することができる。
【００１９】
また、本発明の一態様に係る冷蔵庫において、複数の前記半導体発光素子は、青色に発光する半導体発光素子と、緑色に発光する半導体発光素子とを含むとしてもよい。
【００２０】
これにより、植物および野菜に対して表面吸収率の良い青色光だけでなく、内部浸透性のよい緑色光を併せ照射することができる。その結果、葉野菜およびその他の種類の野菜を含めて総合的にビタミンＵＰを図ることができる。
【００２１】
また、本発明の一態様に係る冷蔵庫において、前記半導体発光素子は、前記半導体発光素子が発する光の光軸が、前記発光ユニットが配置される前記内側面に垂直な軸から前記冷蔵室の奥方向に傾斜するように配置されているとしてもよい。
【００２２】
これにより、発光ユニットからの光が使用者の目に直接入射する可能性はより低減され、かつ、収納物への光の十分な照射は維持される。
【発明の効果】
【００２３】
本発明によれば、冷蔵庫に収納する収納物の鮮度の保持を可能とするとともに、使用者にとって使い勝手のよい冷蔵庫を提供することができる。
【図面の簡単な説明】
【００２４】
【図１】図１は、本発明の実施の形態に係る冷蔵庫を模式的に表した冷蔵庫の正面図である。
【図２】図２は、本発明の実施の形態に係る冷蔵庫における冷蔵室を模式的に表した冷蔵室の正面図である。
【図３】図３は、本発明の実施の形態に係る発光ユニットの取り付け態様を示す部分斜視図である。
【図４】図４は、本発明の実施の形態に係る発光ユニットの構成の概要を示す横断面図である。
【図５】図５は、本発明の実施の形態に係る発光ユニットが、第一収納容器の内方に光を照射する様子を示す横断面図である。
【図６】図６は、本発明の実施の形態に係る発光ユニットが、第一収納容器の内方に光を照射する様子を示す縦断面図である。
【図７】図７は、本発明の実施の形態に係る位置決定部の構成を示す概要図である。
【図８】図８は、本発明の実施の形態に係る、第一収納容器と第一位置決定部との係合関係を示す透視図である。
【図９】図９は、実施の形態の変形例１に係る発光ユニットの構成の概要を示す横断面図である。
【図１０】図１０は、実施の形態の変形例１に係る発光ユニットが、第一収納容器の内方に光を照射する様子を示す横断面図である。
【図１１】図１１は、実施の形態の変形例２に係る発光ユニットの構成の概要を示す縦断面図である。
【図１２】図１２は、実施の形態の変形例２に係る発光ユニットが、第一収納容器の内方に光を照射する様子を示す縦断面図である。
【発明を実施するための形態】
【００２５】
以下、本発明の実施の形態に係る冷蔵庫について、図面を参照しながら説明する。
【００２６】
図１は、本発明の実施の形態に係る冷蔵庫を模式的に表した冷蔵庫の正面図である。
【００２７】
図１に示すように、実施の形態に係る冷蔵庫１００は、上段、中段及び下段の３つに区画された貯蔵室を備える。具体的には、上段の貯蔵室は冷蔵室１１０であり、中段の貯蔵室は野菜室１２０であり、下段の貯蔵室は冷凍室１３０である。各貯蔵室において、冷蔵室１１０の庫内温度は約２〜３℃であり、野菜室１２０の庫内温度は約２〜５℃であり、冷凍室１３０の庫内温度は約−１８〜−２０℃である。なお、図１において、矩形の破線がそれぞれの貯蔵室の前面開口部を表している。
【００２８】
主箱体１０１の内方に形成される冷蔵室１１０には、前面開口部を覆うことにより冷蔵室１１０を密閉状態とする扉１１１が設けられている。扉１１１は、前面開口部の向かって右側の端部に設けられた縦方向の回動軸を中心に回動することができる。これにより、扉１１１を左右方向に開閉することができる。また、扉１１１を開閉することによって、冷蔵室１１０に収納物を収納したり、冷蔵室１１０から収納物を取り出したりすることができる。
【００２９】
また、野菜室１２０及び冷凍室１３０には、前面開口部を開閉自在に覆う扉１２１及び扉１３１が設けられている。
【００３０】
次に、本発明の実施の形態に係る冷蔵庫１００における冷蔵室１１０について、図２〜図８を用いてさらに詳細に説明する。
【００３１】
図２は、本発明の実施の形態に係る冷蔵室１１０を模式的に表した冷蔵室１１０の正面図である。なお、図２において、扉１１１および扉１２１は図示していない。
【００３２】
図２に示すように、本実施の形態に係る冷蔵庫１００の冷蔵室１１０には、トレイ１１４が設けられている。なお、冷蔵室１１０においては、破線で示すように適宜必要個数のトレイを別途設けても構わない。
【００３３】
本実施の形態において、冷蔵室１１０には、第一収納容器１４０と第二収納容器１４１とが収納されている。第一収納容器１４０と第二収納容器１４１とは、同じ大きさで同じ形状であり、互いに隣り合うようにして冷蔵室１１０の底面１１５に載置されている。
【００３４】
本実施の形態においては、第一収納容器１４０及び第二収納容器１４１は、例えば野菜又は果物等の収納物を保鮮するための容器であり、それぞれは、上部の開口を密閉可能に塞ぐ蓋を有する。
【００３５】
また、本実施の形態の冷蔵庫１００では、冷蔵室１１０の内側面１１６に発光ユニット２００が配置されており、かつ、第一収納容器１４０の、少なくとも発光ユニット２００側の側壁は光透過性を備える。そのため、発光ユニット２００から発せられた光は、第一収納容器１４０の内方に到達する。
【００３６】
図３は、本発明の実施の形態に係る発光ユニット２００の取り付け態様を示す部分斜視図である。
【００３７】
図４は、本発明の実施の形態に係る発光ユニット２００の構成の概要を示す横断面図である。
【００３８】
発光ユニット２００は、図３に示すように、冷蔵室１１０の内側面１１６に配置されており、光透過性を備える容器側壁を介して、第一収納容器１４０の内方に光を照射する。
【００３９】
本実施の形態では、発光ユニット２００は、互いに異なるスペクトルの光を発する複数の半導体発光素子を有する。
【００４０】
具体的には、発光ユニット２００は、図４に示すように、青色に発光する半導体発光素子である第一ＬＥＤ２１０と、緑色に発光する半導体発光素子である第二ＬＥＤ２１１とを有する。
【００４１】
なお、第一ＬＥＤ２１０のピーク発光波長は、例えば４７０ｎｍであり、第二ＬＥＤ２１１のピーク発光波長は、例えば５２５ｎｍである。
【００４２】
このように、発光ユニット２００が、互いに異なるスペクトルの光を発する複数の半導体発光素子を有することで、例えば、第一収納容器１４０に収納された複数種類の野菜の鮮度の保持を効果的に実行することができる。
【００４３】
具体的には、植物および野菜に対して表面吸収率の良い青色光だけでなく、内部浸透性のよい緑色光を併せ照射することで、葉野菜およびその他の種類の野菜を含めて総合的にビタミンＵＰを図ることができる。
【００４４】
特に、半導体発光素子を点滅（いわゆるフラッシング）させることで収納される野菜に刺激（ストレス）を与えた場合、一定のビタミンＵＰ効果を得ることができた。そこで、本実施の形態における発光ユニット２００は、例えば、青色と緑色とを同期させてともに４０Ｈｚでフラッシングさせる。これにより、光の照射対象の野菜において光合成を促進させ効果的にビタミンＵＰを図ることができる。
【００４５】
なお、発光ユニット２００に採用される半導体発光素子は、可視領域の光を発生できるものであればＬＥＤには限定されない。
【００４６】
また、冷蔵室１１０の底面１１５には、第一収納容器１４０及び第二収納容器１４１の、底面１１５上における配置位置を決定する位置決定部（図７及び図８を用いて後述）が配置されているが、図３では、位置決定部の図示は省略されている。
【００４７】
発光ユニット２００はさらに、第一ＬＥＤ２１０及び第二ＬＥＤ２１１の前方に配置され、光透過性を備えるカバー部材２２０を有する。
【００４８】
また、カバー部材２２０は、第一ＬＥＤ２１０及び第二ＬＥＤ２１１から発せられ、カバー部材２２０を透過する光を拡散する拡散面２２１を有する。本実施の形態では、拡散面２２１は、図４に示すように複数の凹凸で構成されている。
【００４９】
第一ＬＥＤ２１０及び第二ＬＥＤ２１１から発せられる光は、拡散面２２１により拡散される。これにより、第一収納容器１４０の内方の野菜等の収納物に対して広範囲に光が照射される。
【００５０】
なお、拡散面２２１は、透過する光を拡散できるのであれば、その形状及び材質は特定のものに限定されない。また、拡散面２２１は、カバー部材２２０の内側の面（第一ＬＥＤ２１０及び第二ＬＥＤ２１１の側の面）に配置されていてもよい。
【００５１】
図５は、本発明の実施の形態に係る発光ユニット２００が、第一収納容器１４０の内方に光を照射する様子を示す横断面図である。
【００５２】
図６は、本発明の実施の形態に係る発光ユニット２００が、第一収納容器１４０の内方に光を照射する様子を示す縦断面図である。
【００５３】
図５及び図６に示すように、発光ユニット２００は、第一収納容器１４０が冷蔵室１１０に収納された状態において、第一収納容器１４０の前後方向（Ｙ軸方向）及び高さ方向（Ｚ軸方向）の略中央に位置するように配置されている。
【００５４】
これにより、発光ユニット２００からの光は、光透過性を備える容器側壁１４３を介し、第一収納容器１４０の内方の三次元空間の中央部分を中心に照射される。そのため、第一収納容器１４０に収納された複数の収納物に対して広く光を照射することができる。
【００５５】
また、発光ユニット２００は、第一収納容器１４０の外側かつ側方に位置するため、第一収納容器１４０に収納された野菜などから発生する水蒸気の影響を受けにくい。つまり、発光ユニット２００は水蒸気から適切に保護される。
【００５６】
また、冷蔵室１１０の底面１１５には、発光ユニット２００と第一収納容器１４０との位置関係を、上記のように第一収納容器１４０に収納された収納物に対して効果的に光が照射される位置関係に規制するための位置決定部が備えられている。
【００５７】
図７は、本発明の実施の形態に係る位置決定部の構成を示す概要図である。
【００５８】
図７に示すように、本発明の実施の形態に係る冷蔵庫１００では、冷蔵室１１０の底面１１５に、第一位置決定部１５０ａ及び第二位置決定部１５０ｂが設けられている。
【００５９】
第一収納容器１４０に対応する第一位置決定部１５０ａは、第一収納容器１４０と着脱可能に係合し、第一収納容器１４０の冷蔵室１１０における水平方向（ＸＹ平面に平行な方向）の位置を決定する。つまり、第一位置決定部１５０ａにより、第一収納容器１４０の、底面１１５上の配置位置が決定される。
【００６０】
第一位置決定部１５０ａは、冷蔵室１１０の奥壁１１７の方向である奥方向に延び、かつ、上方に突出する突出部によって構成されている。
【００６１】
より具体的には、図７に示すように、第一位置決定部１５０ａは、手前側に位置する左右一対の第一ガイド部１５１ａ及び１５２ａと、奥側に位置する左右一対の第二ガイド部１５３ａ及び１５４ａとを有する。
【００６２】
第一位置決定部１５０ａの第一ガイド部１５１ａ及び１５２ａは、冷蔵室１１０の奥方向に延び、かつ、冷蔵室１１０の奥壁１１７に対して所定の角度を有して延びる直線状の突出部で構成されている。第一ガイド部１５１ａ及び１５２ａは、奥側に向かってお互いの間隔が徐々に広がるように構成されている。
【００６３】
第一位置決定部１５０ａの第二ガイド部１５３ａ及び１５４ａは、冷蔵室１１０の奥方向に延び、かつ、冷蔵室１１０の奥壁１１７に対して垂直に延びる直線状の突出部である。第二ガイド部１５３ａ及び１５４ａは、お互いの間隔が同じとなるように略平行に構成されている。
【００６４】
第二収納容器１４１に対応する第二位置決定部１５０ｂは、手前側に位置する左右一対の第一ガイド部１５１ｂ及び１５２ｂと、奥側に位置する左右一対の第二ガイド部１５３ｂ及び１５４ｂとを有する。
【００６５】
なお、第二位置決定部１５０ｂの形状は、図７に示すように、第一位置決定部１５０ａと同様の形状であり、詳細な説明は省略する。
【００６６】
図８は、本発明の実施の形態に係る、第一収納容器１４０と第一位置決定部１５０ａとの係合関係を示す透視図である。
【００６７】
図８に示すように、第一収納容器１４０の裏面には、第一位置決定部１５０ａに係合する係合部１４５が備えられている。
【００６８】
係合部１４５は、第一収納容器１４０の奥方向に延びる左右の突出部１４５ａ及び１４５ｂと、突出部１４５ａの手前側の端部と突出部１４５ｂの手前側の端部とを繋ぐストッパ１４５ｃとを有する。
【００６９】
第一収納容器１４０が、冷蔵室１１０に収納される際、第一位置決定部１５０ａと、第一収納容器１４０の係合部１４５とが係合することで、第一収納容器１４０の、底面１１５上の配置位置が決定される。
【００７０】
具体的には、第一収納容器１４０が、冷蔵室１１０の底面１１５の上方であって第一位置決定部１５０ａの前方から底面１１５上に進行すると、第一収納容器１４０は、第一ガイド部１５１ａ及び１５２ａ、ならびに、第二ガイド部１５３ａ及び１５４ａにガイドされながら、奥方向へ進んでいく。
【００７１】
その後、第一ガイド部１５１ａ及び１５２ａの前端部とストッパ１４５ｃとが当接することで、第一収納容器１４０の奥方向の位置は規制される。
【００７２】
その結果、図８に示すように、第一収納容器１４０の配置位置は、冷蔵室１１０の底面１１５上の所定の位置に決定される。本実施の形態においては、図５、図６、及び図８に示すように、発光ユニット２００からの光が第一収納容器１４０の内方の三次元空間の中央部分を中心に照射されるように、第一収納容器１４０の配置位置が決定される。
【００７３】
これにより、第一収納容器１４０に収納された複数の収納物に対して広く光を照射することができる。つまり、第一収納容器１４０に収納された複数の野菜等に、第一ＬＥＤ２１０及び第二ＬＥＤ２１１からの光を満遍なく照射することが可能となる。
【００７４】
なお、第二位置決定部１５０ｂは、第二収納容器１４１の冷蔵室１１０の底面１１５上における配置位置を決定する。これにより、例えば、第一収納容器１４０を冷蔵室１１０に収納する際に、第一収納容器１４０と第二収納容器１４１とが干渉することが防止され、第一収納容器１４０を無理なく、上記の効果的な光の照射を可能とする位置に収納することができる。
【００７５】
また、第一位置決定部１５０ａ及び第二位置決定部１５０ｂは、上述のように、冷蔵室１１０の底面１１５に配置される。そのため、発光ユニット２００を、冷蔵室１１０の内側面１１６の任意の位置に配置することが可能である。
【００７６】
（変形例１）
上記の実施の形態では、発光ユニット２００は、第一収納容器１４０の真横から第一収納容器１４０の中央部分の方向に光を照射している。しかし、発光ユニット２００に、第一収納容器１４０の中央部分に対し、斜め方向から光を照射させてもよい。
【００７７】
図９は、実施の形態の変形例１に係る発光ユニット２００の構成の概要を示す横断面図である。
【００７８】
図１０は、実施の形態の変形例１に係る発光ユニット２００が、第一収納容器１４０の内方に光を照射する様子を示す横断面図である。
【００７９】
図９に示すように、変形例１に係る発光ユニット２００は、冷蔵室１１０の奥方向に光軸が向くように、第一ＬＥＤ２１０及び第二ＬＥＤ２１１が配置されている。
【００８０】
具体的には、第一ＬＥＤ２１０及び第二ＬＥＤ２１１のそれぞれは、第一ＬＥＤ２１０及び第二ＬＥＤ２１１が発する光の光軸が、発光ユニット２００が配置される内側面１１６に垂直な軸から冷蔵室１１０の奥方向に傾斜するように配置されている。
【００８１】
また、発光ユニット２００は、冷蔵室１１０に収納された状態の第一収納容器１４０の奥行き方向（Ｙ軸方向）の長さの中央より手前の位置に配置される。
【００８２】
これにより、図１０に示すように、発光ユニット２００からの光は、光透過性を備える容器側壁１４３を介し、第一収納容器１４０の内方の三次元空間の中央部分を中心に照射される。
【００８３】
従って、変形例１に係る発光ユニット２００は、実施の形態に係る発光ユニット２００と同じく、第一収納容器１４０に収納された複数の野菜に光を満遍なく照射することが可能となる。
【００８４】
また、変形例１に係る発光ユニット２００は、冷蔵室１１０の奥方向に向けて光を照射するため、発光ユニット２００からの光が使用者の目に直接入射する可能性はより低減される。
【００８５】
なお、第一ＬＥＤ２１０及び第二ＬＥＤ２１１を傾けるのではなく、図４に示す実施の形態に係る発光ユニット２００を、第一ＬＥＤ２１０及び第二ＬＥＤ２１１からの光軸が奥方向に向くように、内側面１１６に対して傾けて取り付けてもよい。こうすることでも、変形例１に係る発光ユニット２００と同様に、発光ユニット２００からの光が使用者の目に直接入射する可能性を低減させるなどの効果が得られる。
【００８６】
（変形例２）
発光ユニット２００は、上記変形例１のように、第一収納容器１４０の中央部分に対し斜め前方から光を照射することに代えてまたは加えて、斜め上方向から光を照射してもよい。
【００８７】
図１１は、実施の形態の変形例２に係る発光ユニット２００の構成の概要を示す縦断面図である。
【００８８】
図１２は、実施の形態の変形例２に係る発光ユニット２００が、第一収納容器１４０の内方に光を照射する様子を示す縦断面図である。
【００８９】
図１１に示すように、変形例２に係る発光ユニット２００は、下方に光軸が向くように、第一ＬＥＤ２１０及び第二ＬＥＤ２１１が配置されている。
【００９０】
具体的には、第一ＬＥＤ２１０及び第二ＬＥＤ２１１のそれぞれは、第一ＬＥＤ２１０及び第二ＬＥＤ２１１が発する光の光軸が、発光ユニット２００が配置される内側面１１６に垂直な軸から底面１１５の方向に傾斜するように配置されている。
【００９１】
また、発光ユニット２００は、冷蔵室１１０に収納された状態の第一収納容器１４０の高さ方向（Ｚ軸方向）の長さの中央より上の位置に配置される。
【００９２】
これにより、図１２に示すように、発光ユニット２００からの光は、光透過性を備える容器側壁１４３を介し、第一収納容器１４０の内方の三次元空間の中央部分を中心に照射される。従って、変形例２に係る発光ユニット２００は、実施の形態及び変形例１に係る発光ユニット２００と同じく、第一収納容器１４０に収納された複数の野菜に光を満遍なく照射することが可能となる。
【００９３】
また、変形例２に係る発光ユニット２００は、第一収納容器１４０に対して斜め上から光を照射する。そのため、例えば、第一収納容器１４０の容器側壁１４３に近い位置に比較的背の高い収納物が置かれた場合であっても、第一収納容器１４０の内方にまで光を到達させることができる。
【００９４】
以上、本発明の実施の形態ならびにその変形例１及び２で説明したように、冷蔵庫１００は、冷蔵室１１０の内側面１１６に、半導体発光素子により光を発する発光ユニット２００を備える。発光ユニット２００は、光透過性を備える容器側壁１４３を介し、側方から、第一収納容器１４０の内方に光を照射する。
【００９５】
これにより、冷蔵庫１００は、使用者に不快なまぶしさを感じさせることなく、第一収納容器１４０に収納された野菜等の収納物の鮮度を、半導体発光素子からの光により保持することができる。
【００９６】
なお、本発明は、上記実施の形態ならびにその変形例１及び２に限定されるものではない。本発明の趣旨を逸脱しない限り、当業者が思いつく各種変形を本実施の形態、変形例１及び２に施したもの、あるいは、上記説明された複数の構成要素を組み合わせて構築される形態も、本発明の範囲内に含まれる。
【００９７】
例えば、発光ユニット２００から発せられる光を、第一収納容器１４０のみならず第二収納容器１４１の収納物に照射させてもよい。
【００９８】
この場合、例えば第一収納容器１４０の容器本体を光透過性を備える材料で形成する。また、第二収納容器１４１の、第一収納容器１４０側の側壁に光透過性を持たせる。
【００９９】
これにより、発光ユニット２００から発せられ、第一収納容器１４０を通過した光を、第二収納容器１４１の内方の収納物に照射することができる。つまり、第二収納容器１４１の内方の収納物の鮮度を保持することができる。
【０１００】
また、例えば、第二収納容器１４１を光透過性のない材料で形成してもよい。これにより、例えば、第一収納容器１４０には、野菜及び果物等の青果物を収納し、第二収納容器１４１には光を当てたくない食品等を収納するなど、第一収納容器１４０及び第二収納容器１４１の使い分けをすることも可能である。
【０１０１】
また、実施の形態、変形例１及び２において、発光ユニット２００は、冷蔵室１１０の内側面１１６の、底面１１５に近い位置に配置されている。しかし、発光ユニット２００の内側面１１６における高さ方向の位置は、他の位置であってもよい。発光ユニット２００は、例えば、内側面１１６の比較的高い位置に配置されてもよい。
【０１０２】
いずれの場合であっても、発光ユニット２００は、内側面１１６の側から、冷蔵室１１０の内方に向けて光を照射する。そのため、発光ユニット２００からの光を使用者にまぶしく感じさせることなく、発光ユニット２００の側方の収納容器内の収納物に光を照射することができる。
【０１０３】
また、発光ユニット２００の側方に配置される収納容器の大きさは特定のものに限定されない。例えば、発光ユニット２００の側方に、第一収納容器１４０の横幅の２倍程度の横幅の１つの収納容器を配置してもよい。これにより、例えばより多くの野菜に、発光ユニット２００からの光を照射することができ、これら野菜の鮮度を保持することが可能となる。
【０１０４】
また、第一収納容器１４０及び第二収納容器１４１の、底面１１５上における配置位置を決定するための構造は、図７及び図８を用いて説明した構造に限られない。
【０１０５】
例えば、図８では、第一収納容器１４０の係合部１４５の内方に、第一位置決定部１５０ａが挿入される構造が示されている。しかし、第一位置決定部１５０ａの内方に係合部１４５が挿入される構造であってもよい。この場合、例えば、第一ガイド部１５１ａ及び１５２ａを、手前に向かってお互いの間隔が徐々に広がるように配置してもよい。また、第二ガイド部１５４ａ及び１５３ａの後端にストッパを設けることで、第一収納容器１４０の奥方向の位置を規制することができる。
【０１０６】
また、発光ユニット２００は、奥壁１１７にのみ備えられていてもよい。例えば、奥壁１１７の、第一収納容器１４０の背後にあたる位置に発光ユニット２００を設置する。また、第一収納容器１４０の奥側の側壁を、光透過性を有する材料で構成する。これにより、第一収納容器１４０の内方の野菜等の収納物まで、発光ユニット２００からの光を到達させることができる。つまり、野菜等の収納物の鮮度を、発光ユニット２００からの光により保持することができる。
【０１０７】
なお、このように奥壁１１７に発光ユニット２００を配置する場合、例えば、発光ユニット２００からの光軸を、奥壁１１７に垂直な軸から左右のいずれかに傾かせる。また、例えば、このように奥壁１１７に垂直な軸に対して左右のいずれかに傾いた光軸が、第一収納容器１４０の内方の三次元空間の中央部分を通過するように、発光ユニット２００奥壁１１７に設置する。
【０１０８】
これにより、第一収納容器１４０の野菜等の収納物の鮮度を保持するとともに、発光ユニット２００からの光が使用者の目に直接入射する可能性を低減することができる。
【０１０９】
また、発光ユニット２００は、冷蔵室１１０に複数備えられていてもよい。例えば、発光ユニット２００を、側面１１６と、側面１１６に対向する面（例えば図７における向かって左側の側面）と、奥壁１１７とに設置してもよい。
【０１１０】
この場合、例えば、第一収納容器１４０及び第二収納容器１４１それぞれの、左右の側壁および奥側の側壁を、光透過性を有する材料で構成する。
【０１１１】
これにより、第一収納容器１４０及び第二収納容器１４１それぞれの内方の野菜等の収納物に、左右および後方の３方向から光を照射することが可能となる。つまり、野菜等の収納物に対する、光照射による鮮度の保持効果がより向上される。
【産業上の利用可能性】
【０１１２】
本発明に係る冷蔵庫は、野菜及び果物等の収納物の鮮度を保持する冷蔵庫等として有用である。
【符号の説明】
【０１１３】
１００    冷蔵庫
１０１    主箱体
１１０    冷蔵室
１１１、１２１、１３１    扉
１１４    トレイ
１１５    底面
１１６    内側面
１１７    奥壁
１２０    野菜室
１３０    冷凍室
１４０    第一収納容器
１４１    第二収納容器
１４３    容器側壁
１４５    係合部
１４５ａ、１４５ｂ  突出部
１４５ｃ  ストッパ
１５０ａ  第一位置決定部
１５０ｂ  第二位置決定部
１５１ａ、１５１ｂ、１５２ａ、１５２ｂ  第一ガイド部
１５３ａ、１５３ｂ、１５４ａ、１５４ｂ  第二ガイド部
２００    発光ユニット
２１０    第一ＬＥＤ
２１１    第二ＬＥＤ
２２０    カバー部材
２２１    拡散面
【図１】
2011202941.tif 000003
【図２】
2011202941.tif 000004
【図３】
2011202941.tif 000005
【図４】
2011202941.tif 000006
【図５】
2011202941.tif 000007
【図６】
2011202941.tif 000008
【図７】
2011202941.tif 000009
【図８】
2011202941.tif 000010
【図９】
2011202941.tif 000011
【図１０】
2011202941.tif 000012
【図１１】
2011202941.tif 000013
【図１２】
2011202941.tif 000014